(57)【要約】      （修正有）【課題】複数の対話機能と遠隔通信機能が組み込まれた単一の双方向テレビ装置を提供する。【解決手段】双方向テレビは、タッチスクリーン１０と、電力サージ保護されたアウトレット１６を含むベースと、三次元カメラ５８と、複数の入出力コネクターと、テレビの機能を制御するための複数のスイッチ４６、４８、５２、５４、５６とから構成され、無線インターネットアクセス、時間表示、時間帯表示、及びカレンダー表示などを行うソフトウエアが含まれる。【選択図】図１
2015053671.tif 000002
【特許請求の範囲】
【請求項１】
ユーザーへ項目を表示し、ユーザーからの入力を許すタッチスクリーンと、
電力サージ保護された少なくとも一つのアウトレットを含むベースメンバーと、
テレビの正面で画像を得る、ビルトインカメラと、
複数の入力・出力コネクターと、
テレビの機能を制御するための複数の押しボタンと、を
備える双方向テレビ。
【請求項２】
さらに、テレビへ電力を送るための電源コードと、電源コードを入れておくための電源コード保管コンパートメントと、を備える請求項１記載の双方向テレビ。
【請求項３】
さらに、テレビ内の非過渡なコンピューター可読媒体にてエンコードされたコンピュータを備え、前記コンピュータは、アラームクロック、カレンダーおよび世界時ゾーンマップのための機能を提供する、請求項１記載の双方向テレビ。
【請求項４】
上記複数の入力・出力コネクターが、少なくとも一つのＵＳＢポート、少なくとも一つのＨＤＭＩポート、ＰＣポート、アンテナポート、オーディオ入力ポート及びオーディオ出力ポートを含む、請求項１記載の双方向テレビ。
【請求項５】
上記ビルトインカメラが三次元カメラである請求項１記載の双方向テレビ。
【請求項６】
さらに、複数のボタンを持つリモートコントロールを備える、請求項１記載の双方向テレビ。
【請求項７】
さらに、テレビハウジングに配置された一つまたはそれ以上のスピーカーを備える、請求項１記載の双方向テレビ。
【請求項８】
さらに、ＣＤ、ＤＶＤおよびビデオディスクの少なくとも一つを入力するためのスロットを備える、請求項１記載の双方向テレビ。
【請求項９】
ユーザーに対して項目を表示し、ユーザーからの入力を許すタッチスクリーンと、
電力サージ保護された少なくとも一つのアウトレットを含むベースメンバーと、
テレビの正面で画像を得る、ビルトインカメラと、
複数の入力・出力コネクターと、
テレビの機能を制御するための複数の押しボタンと、
複数のボタンを持つリモートコントロールと、
テレビハウジングに配置された一つまたはそれ以上のスピーカーと、
ＣＤ、ＤＶＤおよびビデオディスクの少なくとも一つを入力するためのスロットと、
テレビへ電力を送るための電源コードと電源コードを入れておくための電源コード保管コンパートメントと、を
備える双方向テレビ
【請求項１０】
さらに、テレビ内の非過渡なコンピューター可読媒体にてエンコードされたコンピュータを備え、前記コンピュータは、アラームクロック、カレンダーおよび世界時ゾーンマップのための機能を提供する、請求項９記載の双方向テレビ。
【請求項１１】
複数の入力・出力コネクターが、少なくとも一つのＵＳＢポート、少なくとも一つのＨＤＭＩポート、ＰＣポート、アンテナポート、オーディオ入力ポートおよびオーディオ出力ポートを有する、請求項９記載の双方向テレビ。
【請求項１２】
ビルトインカメラが三次元カメラである請求項９記載の双方向テレビ。
【発明の詳細な説明】
【技術分野】
【０００１】
本発明は双方向テレビ、特に、遠隔通信機能を含む、多くの機能を持つ双方向テレビに関するものである。
【背景技術】
【０００２】
現在、テレビはユーザーとの対話に制限がある。例えば、テレビで異なる番組を選択するためには、チャネルを回さなければならず、テレビを見ているときの娯楽を邪魔する。さらに、ユーザーは、見ているテレビが他の国の言語を話すので、しばしば阻害されたような気分になる。さらに、ユーザーは一時に一つのショーしか見られず、テレビで他の人とコミュニケートができない。従来のテレビでは、ユーザーはしばしばアップグレードが必要な時にきづかず、受け入れられない画素正方とラスターイメージがテレビ画面に残ったままになる。
【０００３】
多くの人たちがテレビを見て楽しむが、テレビ経験は単に、娯楽に偏る傾向がある。なぜなら、チャネルやボリュームを変えたりすること以外に、視聴者側に経験を高める能力が限られていること、また、コントラストのようなイメージコントロールが限られているからである。このように、テレビ視聴者は経験においては消極的な参加者である。しかし、テレビ視聴者を積極的な参加者に変えるような装置はない。現在、テレビ視聴者のために視覚経験を高めるようなテレビ装置はない。テレビには、テレビ視聴者を積極的にするような高度な機能は多くない。
【０００４】
従来のテレビ装置では、ユーザーが音量を上げる場合、周りの人、特に睡眠中の人に迷惑をかける。ほとんどのテレビには、チャネルを変えたり、音量を上げ下げするためには、押しボタンだけが存在する。押しボタンは、チャネルを素早く動かすのにも、音量を素早く上下するのにも容易ではない。ほとんどのテレビはすべてのコンピューターと適合性がない。これらには、ＭａｃやＰＣの両方のコンピューターと接続するためのオプションがない。さらに、ほとんどのコンピューターにはカメラやビデオカメラがなく、ユーザーはビデオを見たり写真を撮ったり編集したり、ビデオを編集することができない。ほとんどのテレビでは、ユーザーはＣＤで音楽を聴くことができない。なぜならテレビには組み込まれたＣＤプレーヤーがないからである。
【０００５】
ほとんどの従来のテレビは、非常用には信頼性がない。なぜなら、テレビには選択すべきコミュニケーション・オプションがないからである。ほとんどのテレビでは、一度に二つまたはそれ以上の番組を見ることができない。ほとんどのテレビでは、電話をかけることができないし、ユーザーは話し相手の顔を見ることができない。テレビ番組を見ながらこのようなことができないのである。ほとんどの従来のテレビでは、ユーザーはインターネットで検索することができない。
【０００６】
現在、従来のテレビの最高解像度は１０８０ｐである。１０８０ｐの解像度を使っても、時々、背景は前景に比べてぼける。ほとんどのテレビは、Ｒ．Ｇ．Ｂ．と呼ばれる、赤、緑、青色だけを使っている。これはビジョンスペクトルの数色にすぎない。Ｒ．Ｇ．Ｂ．の色だけを使った従来のテレビでは、ユーザーが見る画像に十分な色を与えない。映画のためのＤＶＤまたはブルー・レイ・プレーヤーを選択したり、映画やテレビ番組を見る際に、ほとんどのテレビには２Ｄから３Ｄへ変換するオプションがない。ほとんどのテレビには、ユーザーがラジオ局または保管された音楽またはファイルを聞くことのできるオプションがない。従来のテレビは、普通、Ｂｌｕｅｔｏｏｔｈのような無線ネットワーク接続を持たないので、ユーザーは他のＢｌｕｅｔｏｏｔｈ装置で自分のテレビをプログラムすることができない。従来のテレビでは、普通、ＷｉＦｉ接続を持たないので、ユーザーはインターネットを容易に使うことができない。ほとんどのテレビは、ユーザーが他の人にテキスト・メッセージ（メール）を送ることのできるオプションを持たない。
【０００７】
ほとんどの従来のテレビは、朝、ユーザーを起こすためのアラーム（目覚まし）を持たず、また、ユーザーに世界中の時間を知らせるためのワールドクロック（世界時計）を持たない。ほとんどの従来のテレビは、日、月及び年を示すカレンダーを持っていない。さらに、ほとんどの従来のテレビには、電力サージ保護が組み込まれていない。
【０００８】
これらから理解されるように、双方向テレビには、複数の対話機能が必要であり、そのすべてが、テレビに遠隔通信機能が組み込まれた、単一の双方向テレビ装置に組み込まれる必要がある。
【発明の概要】
【０００９】
本発明の一態様では、双方向テレビは、ユーザーに項目を示し、ユーザーによる入力を許すためのタッチスクリーン、少なくとも一つの、電力サージ保護されたアウトレットを含むベースメンバー、テレビの前で画像を得るビルトインカメラ、複数の入力・出力コネクター、テレビの機能を制御するための複数の押しボタンを備える。
【００１０】
本発明のもう一つの態様では、双方向テレビは、ユーザーへ項目を示しユーザーによる入力を許すタッチスクリーン、少なくとも一つの電力サージ保護されたアウトレットを含むベースメンバー、テレビの前で画像を得るビルトインカメラ、複数の入力・出力コネクター、テレビの機能を制御するための複数の押しボタン、複数のボタンを持つリモートコントロール、テレビのハウジングに配置された一つまたはそれ以上のスピーカー、ＣＤ、ＤＶＤおよびビデオディスクの少なくとも一つを挿入するためのスロット、テレビへ電力を送るための電源コード、電源コードを保管するための電源コードストレージコンパートメントを備える。
【００１１】
本発明のこれら、他の機能、態様及び利点は、以下の図面、明細書及び特許請求の範囲を参照することにより、さらに良く理解されるであろう。
【図面の簡単な説明】
【００１２】
【図１】双方向テレビの正面斜視図であり、本発明の例示的な実施態様による、本発明に含まれるいろいろな特徴を示す。
【図２】図１の双方向テレビの背面斜視図である。
【図３】図１の双方向テレビで使用されるリモートコントロール装置の左側面図である。
【図４】図３のリモートコントロール装置の正面図である。
【図５】図３のリモートコントロール装置の側面図である。
【図６】図１の双方向テレビで使用される３Ｄメガネの斜視図である。
【図７】図１の双方向テレビで使用される電源コードの斜視図である。
【発明を実施するための形態】
【００１３】
以下の詳細な説明は、発明の例示的な実施態様を実施するための現在考えられるベストな態様である。この説明は制限的意味でとるべきではなく、発明の全般的な思想を示すためのみになされるものである。発明の範囲は添付のクレームによって最も的確に定義されるからである。
【００１４】
広く言えば、本発明の実施態様は、一つのテレビ装置では得られない複数の機能を含む双方向テレビを提供するものである。双方向テレビにはタッチスクリーンが含まれ、例えば、無線インターネットアクセス、三次元カメラ、組み込みサージプロテクター、テレビのベースにあるサージ保護されたアウトレットなどの機能が含まれていてもよい。双方向テレビには、時間表示、時間帯、カレンダーなどのためのソフトウエアが含まれていてもよい。双方向テレビにはアラームクロックを含めることができ、テキスト通信処理にも使用できる。双方向テレビには一つの装置でいくつかの技術的進歩が含まれていてもよく、ユーザーに完全な双方向テレビ経験を提供する。双方向テレビには、テレビ自身のタッチスクリーンへ遠隔アクセスするためのタッチスクリーンや、テレビで得られるボタンにマッチしたボタンを持つ対話型遠隔コントロールが含まれていてもよい。双方向テレビは、約６０インチ以上までのスクリーンサイズを持っていてもよく、例えば約３インチより薄い、超薄型プロファイルを持つことができる。図１に、プラズマ、ＬＣＤ、ＯＬＥＤなどを含む、これらの技術の例を示す。普通、テレビはその表示出力に、これらの技術の一つを使う。
【００１５】
さて、図１から図７までを参照すると、双方向テレビには、金属板カバー１２を持つタッチスクリーン１０が含まれていてもよい。テレビには、電力サージプロテクターを組み込むことができ、テレビのベースには電力サージ保護されたアウトレット１６を設けることができる。電力安全ばね式カバー３４がテレビのベースにあるサージプロテクターへのアクセスを防止することができる。カバー３４は、例えば、サージプロテクターリセットスイッチへのアクセスを提供できる。
【００１６】
テレビには、いろいろな入力・出力ポート、例えば、一つまたはそれ以上のＵＳＢポート１８、一つまたはそれ以上のＨＤＭＩポート２０、アンテナポート２６、ＰＣポート２８、ステレオオーディオポート８２、ＳＰＤＩＦオーディオポート８４、コンポーネントポート８６、オーディオポート８８、オーディオ出力ポート９０などが含まれていてもよい。これらのポートにより、双方向テレビはいろいろな他の装置へ信号を送ったり受け取ったりすることができる。
【００１７】
テレビには、ＣＤ、ＤＶＤ、ブルーレイディスクなどのための組み込みプレーヤーが含まれていてもよい。プレーヤーへは、テレビの側面にあるスロット３０を経てアクセスできる。
【００１８】
テレビには、双方向テレビから直接テレビサウンドを出力するために、一つまたはそれ以上のスピーカー９６を設けることができる。一実施態様では、テレビのベースに一つまたはそれ以上のスピーカーを設けることができる。
【００１９】
テレビは、生き生きとした画像を提供するために複数の色を使うように設計できる。普通のテレビは、画像を作るために赤、緑、青色を使ったＲＧＢタイプのテレビである。本発明のテレビは、７色までのカラー、普通は、レッド、オレンジ、イエロー、グリーン、ブルー、インジゴ、バイオレットを使うことができる。これは、普通のＲＧＢタイプのテレビ画面に比べて、さらに生き生きした画像を提供できる。
【００２０】
テレビには、ビデオ解像度を変えるためのオプションが含まれていてもよい。例えば、テレビは、７２０と、１０８０ｐより１６倍高い１６，０００との間のいろいろな解像度出力を選択できる。
【００２１】
テレビにはいろいろなボタンを設けることができる。例えば、テレビのいろいろな位置に、音量押しボタン３６、チャネル押しボタン３８、ＡＶ／ＴＶ押しボタン４０、記録押しボタン４６、逆押しボタン４８、プレイ押しボタン５０、ポーズ押しボタン５２、フォワード押しボタン５４、オン・オフ押しボタン５６を設けることができる。これらのボタンはテレビの基本機能への直接アクセスを提供できる。タッチスクリーン１０はこれらの機能のすべてではなくともほとんどへのアクセスを提供できる。テレビは、ＴＴＹまたはＴＤＤ装置として動作するなど、いろいろなアクセス可能性機能でユーザーをアシストできる。
【００２２】
テレビはベースの上で表示できる。一実施態様では、テレビを壁取付すにことができる。壁取付については、テレビのバックに、一つまたはそれ以上の壁取付穴４４を設けることができる。
【００２３】
テレビには、例えば、三次元カメラとして、カメラ５８が含まれていてもよい。カメラ５８では、ユーザーは受信者へ画像を送ることができ、例えば、電話で話しながらメールを送ることができる。３次元メガネ８０をテレビに映し出される３次元イメージを見るために用いることができる。テレビはまた、電話システムとリンクして、電話をかけたり受けたり、または、電話をかけた人のＩＤ情報を表示することができる。テレビで、一つまたはそれ以上のカメラ５８を使用することができる。一実施態様では、カメラ５８の一つをビデオカメラとすることができる。
【００２４】
テレビには、遠隔方法でテレビの機能へアクセスするためにリモートコントロール６０が含まれていてもよい。リモートコントロール６０には、複数のボタン、例えば、音量ボタン６２、チャネルボタン６４、記録ボタン６６、プレイボタン６８、逆ボタン７０、フォワードボタン７２、ストップボタン７４、オン・オフボタン７６などが含まれていてもよい。リモートコントロール６０はハウジング７８、例えば金属ハウジング内に保持される。リモートコントロール６０には、テレビに示されているタッチスクリーンを模倣できるタッチスクリーンを含めることもできる。
【００２５】
テレビの電源コード９４は、使用しないときは、例えばコード保管コンパートメント９２に入れておくことができる。
【００２６】
本発明のテレビは音を遠くへ伝えるだけでなく、ユーザーはスクリーン上で情報を探しながら、スクリーン上で複数の画像を見ることができる。テレビはスポーツを見たり、ビデオゲームをしたり、映画を見たり、設計したり、オフィスワークにも使える。複数の画像を見る能力があるので、ユーザーは、例えば、ビデオゲームをやりながらテレビでイベントを見ることができる。カメラ５８は、人物や動物や目的物の自然なポーズのスナップ写真を撮ることができる。カメラ５８は三次元（３Ｄ）の画像を表示すること、特に、二次元（２Ｄ）の画像と三次元（３Ｄ）の画像を切り替えることができる。三次元（３Ｄ）の画像を表示するための機能を持つディジタルカメラには、両眼視差または両眼非対応に基づいた距離だけお互いに離れた一対の撮像素子が備わっている。三次元画像を記録するときは、カメラは、左目のために一つの写真画像を、右目のために一つの写真画像を作るために、両方の撮像素子を使うことにより目標物を撮影する。それから、左目と右目の写真画像が、パララックスバリア法又はレンチキュラーレンズ法に従って、Ｌ．Ｅ．Ｄ．として、表示装置に交互に表示される。三次元（３Ｄ）ビデオカメラと関連制御法、さらには、異なるグレードの複数のカメラレンズからなる三次元（３Ｄ）ビデオカメラと関連制御法。テレビ自体は３Ｄ画像を表示することができ、２Ｄモードでも使える。
【００２７】
本発明のテレビはＢｌｕｅｔｏｏｔｈ（ブルートゥース）通信の範囲を拡張することができ、これらの装置が範囲外であっても、テレビスクリーンとリモートコントローラーとの間に確立される本質的にオープンな通信を可能にする。
【００２８】
テレビはクリアモーション、コマ送りのために、約７２０ヘルツから１２００ヘルツまでの周波数で動作するように設計されていてもよい。例えば、メモリーの６４００ＧＢまで、テレビはユーザーによる使用のために、素早くファイルやその他のデータをロードすることができる。このメモリーは、ユーザーがダウンロードしてテレビで使用できるいろいろなアプリケーションを記憶するのにも使える。テレビには、いろいろな機能を制御するためのロジックが含まれていてもよい。このロジックには、例えばインテルで作られた装置のような、一つまたはそれ以上の中央処理装置（ＣＰＵｓ）が含まれていてもよい。
【００２９】
テレビには、一つまたはそれ以上のビデオチューナ、組み込まれたデジタルビデオ記録装置、無線チューナが含まれていてもよい。無線チューナは、例えば、リモートコントロールまたはテレビに設けられているボタンを経て、オンスクリーン表示を通じてアクセス可能である。テレビは、例えば、インターネットから、無線信号を通じて入力できる。無線信号には、いろいろな技術、例えば、ＷｉＦｉ、イーサネット、ブルートゥ―スなどを通じてアクセスできる。信号はＰＣｓやマックコンピュータなどの装置と通信するために使える。
【００３０】
本発明のテレビは、ほとんどのテレビに不足しているアベイラビリティ問題を解決する。本発明のテレビには、テレビのスクリーンのメニューに示された世界マップの場所をタッチするだけで、世界のいかなる場所の時間も表示することができるワールドクロックが含まれている。ワールドクロックは、ユーザーが任意に指定する世界の各地域に関する時間情報を表示することができる。
【００３１】
本発明のテレビは、テキストメッセージを追跡するためのシステムと技術を提供できる。短いテキストメッセージの一連のメッセージ群の識別は、ユーザー間のメッセージの中継を容易にする。アダプテーション層を、それぞれのディスクデータを別々に読むことによりＤＶＤやブルーレイディスクをサポートするプレーヤーに保管することができる。アダプテーション層レーザーは、デジタル多用途ディスク（デジタルビデオディスクまたはＤＶＤとも呼ばれる）とコンパクトディスク（ＣＤｓ）標準のための赤色レーザー長波長（約６５０ナノメートル）から、高解像度ビデオやゲームを持つブルーレイディスクのための青色レーザー短波長（約４０５ナノメートル）へスイッチすることができる。
【００３２】
テレビには、タッチ入力可能なＬＥＤディスプレーと、タッチに敏感なスクリーンで指またはスタイラス（針）タッチユーザー入力を使用するための方法が含まれていてもよい。タッチスクリーンはシングルタッチとマルチタッチの両モードで使用できる。テレビには振動源駆動信号を発生するための装置を含めることができ、内部振動装置は、最近のアクションいっぱいの映画とビデオゲームコンソールの興奮と楽しみを動的に追加する、没入型サウンド経験を持つテレビ愛好家からのフィードバックを提供することを期すことができる。一実施態様では、テレビは、テレビがユーザーに対していろいろな設定を調整するために一連の質問をする音声命令プロンプトシステムを含む、サウンドコマンドで操作することができる。設定の調整やオプションの音声命令プロンプトと応答理解はどんな言語ででもできる。テレビには、ユーザーが言語リストから言語を選択できる機能が含まれていてもよい。
【００３３】
もちろん、上記は発明の例示的な実施態様に関するものであり、添付の特許請求の範囲に示されている発明の精神と範囲から離れることなく、改変することができる。
【図１】
2015053671.tif 000003
【図２】
2015053671.tif 000004
【図３】
2015053671.tif 000005
【図４】
2015053671.tif 000006
【図５】
2015053671.tif 000007
【図６】
2015053671.tif 000008
【図７】
2015053671.tif 000009
【外国語明細書】
2015053671000001.pdf